(57)【特許請求の範囲】
【請求項１】
被写体を撮像する撮像光学系と、前記撮像光学系により結像した被写体像を光電変換して撮像信号を得る撮像素子と、前記撮像素子から出力される撮像信号を処理して画像信号を生成する画像信号処理系と、前記被写体に合焦するための自動合焦装置と、前記撮像光学系における被写体の光量を調節するための絞りと、前記絞りを制御して絞り優先モードでの撮像を行う自動露出装置を備えるデジタルカメラにおいて、前記画像信号処理系には前記画像信号にボケ効果を与えるためのフィルタ処理回路を備え、前記フィルタ処理回路はデジタルフィルタで構成され、前記自動合焦装置による合焦エリアを基準とし、当該合焦エリアからの距離に対応して前記フィルタ係数を変化させるとともに、前記自動露出装置において設定された絞りの値に応じて前記合焦エリアからの距離に対する前記フィルタ係数の変化率を相違させることを特徴とするデジタルカメラ。
【請求項２】
前記撮像素子は、平面配列された多数の受光素子と、前記撮像光学系からの被写体光を前記受光素子の各受光面に結像するマイクロレンズとを備えることを特徴とする請求項１に記載のデジタルカメラ。
【請求項３】
前記合焦エリアは撮像画面内の複数の箇所に設けられ、いずれか一つの合焦エリアを選択する手段を備えることを特徴とする請求項１又は２に記載のデジタルカメラ。
【請求項４】
前記フィルタ処理回路は、選択された合焦エリアを基準とし、当該合焦エリアの外方に向けて同心円状に前記フィルタ係数を変化することを特徴とする請求項３に記載のデジタルカメラ。
【請求項５】
前記フィルタ処理回路は、画面の長辺方向と短辺方向とで前記選択された合焦エリアからの距離に対応する前記フィルタ係数の変化率を相違させることを特徴とする請求項３に記載のデジタルカメラ。
【請求項６】
ボケ効果を得るためのモード設定手段を備え、前記画像信号処理系は、前記モード設定手段がオンのときには前記画像信号を前記フィルタ処理回路に入力し、前記モード設定手段がオフのときには前記画像信号を前記フィルタ処理回路に入力しない構成としたことを特徴とする請求項１ないし５のいずれかに記載のデジタルカメラ。
【発明の詳細な説明】
【０００１】
【発明の属する技術分野】
本発明はＣＣＤ等の撮像素子を用いたデジタルカメラに関し、特に撮像した画像にボケ効果を持たせることが可能なデジタルカメラに関するものである。
【０００２】
【従来の技術】
近年、ＣＣＤ撮像装置を用いてフラッシュカードやスマートメディア等の記録媒体に撮像データを記録するデジタルカメラが数多く提供されている。このデジタルカメラは、基本的には銀塩フィルムを用いるカメラと同様に被写体像を適正な光量で結像するための撮像光学系（撮像レンズ）と絞りを備えているが、銀塩カメラのような銀塩フィルムに感光して被写体像の潜像を得る代わりにＣＣＤ撮像素子で被写体像を光電変換した電気信号を撮像信号として得るとともに、当該撮像信号を処理して表示用の画像信号を得ている。図９に概略構成を示すように、ＣＣＤ撮像素子３はシリコン等の半導体で形成されて表面にＰＮ接合等からなる多数の受光素子（フォトダイオード）３２及び図外の転送用トランジスタが配列されたＣＣＤ３１と、当該ＣＣＤ３１の表面上に形成された光不透過機能を有する絶縁膜３３と、前記各受光素子３２に対応して前記絶縁膜３３に開口された開口窓３３ａ内に配設されたオンチップマイクロレンズ３４を備えており、撮像光学系を通して入射される被写体像をオンチップマイクロレンズ３４によりＣＣＤ３１の各受光素子３２の受光面に結像し、各受光素子３２から順序的に出力される輝度信号を撮像信号として出力する構成である。このように、ＣＣＤ撮像素子３にはＣＣＤ３１の受光面に対して結像を行うためのオンチップマイクロレンズ３４が設けられているため、撮像光学系は被写体像をＣＣＤ３１の受光面よりも後方の位置に焦点を結ぶべく、オンチップマイクロレンズ３４に対しては平行光束に近い状態で入射させる必要があり、そのために撮像光学系にはテレセントリティが必要とされている。
【０００３】
【発明が解決しようとする課題】
このように、従来のデジタルカメラでは、撮像光学系にはテレセントリティが必要とされているため、このテレセントリティにより被写界深度を利用して被写体を積極的に非合焦とすること、すなわちボケ効果を得ることは難しく、銀塩カメラのように、絞りを開放したときの背景のボケ効果を利用した写真を撮像することは難しくなる。そのため、従来のデジタルカメラにおいて前述のようなボケ効果のある写真を撮像する際には、撮像した画像を撮像後にコンピュータ等のフォトレタッチ機能を利用して背景部分をボケ状態に加工することを行なわざるを得ず、デジタルカメラのみでボケ効果のあるデジタル写真を撮像することができないという問題がある。
【０００４】
本発明の目的は、合焦以外の領域においてボケ効果のある画像の撮像を可能にしたデジタルカメラを提供するものである。
【０００５】
【課題を解決するための手段】
本発明は、被写体を撮像する撮像光学系と、前記撮像光学系により結像した被写体像を光電変換して撮像信号を得る撮像素子と、前記撮像素子から出力される撮像信号を処理して画像信号を生成する画像信号処理系と、前記被写体に合焦するための自動合焦装置と、前記撮像光学系における被写体の光量を調節するための絞りと、前記絞りを制御して絞り優先モードでの撮像を行う自動露出装置を備えるデジタルカメラにおいて、前記画像信号処理系には前記画像信号にボケ効果を与えるためのフィルタ処理回路を備え、前記フィルタ処理回路はデジタルフィルタで構成され、前記自動合焦装置による合焦エリアを基準とし、当該合焦エリアからの距離に対応して前記フィルタ係数を変化させるとともに、前記自動露出装置において設定された絞りの値に応じて前記合焦エリアからの距離に対する前記フィルタ係数の変化率を相違させることを特徴としている。ここで、撮像素子は平面配列された多数の受光素子と、前記撮像光学系からの被写体光を前記受光素子の各受光面に結像するマイクロレンズとを備える。
【０００６】
本発明によれば、撮像して得られる画像信号をフィルタ処理回路においてフィルタ処理することで、当該画像信号により表示する画像にボケ効果を与えることができ、撮像後の画像をコンピュータ等を利用してボケ処理する必要がなく、デジタルカメラのみでボケ効果のあるデジタル写真を撮像することが可能になる。
【０００７】
また、本発明によれば被写体に合焦するための自動合焦装置を備えるデジタルカメラへ適用し、フィルタ処理回路は自動合焦装置による合焦エリアを基準とし、当該合焦エリアからの距離に対応してフィルタ係数を変化させているので、合焦エリアでの合焦を確保する一方で、その周囲エリアでのボケ効果を得ることができ、銀塩フィルム写真と同様な写真を得ることができる。この場合、合焦エリアは撮像画面内の複数の箇所に設けられ、いずれか一つの合焦エリアを選択する構成としてもよい。また、選択された合焦エリアを基準とし、当該合焦エリアの外方に向けて同心円状にフィルタ係数を変化する構成とする。あるいは、画面の長辺方向と短辺方向とで選択された合焦エリアからの距離に対応するフィルタ係数の変化率を相違させる。これにより、被写体の種類に応じた好適なボケ効果を得ることができる。
【０００８】
さらに、本発明によれば撮像光学系における被写体の光量を調節するための絞りと、絞りを制御して絞り優先モードでの撮像を行う自動露出装置を備えるデジタルカメラに適用し、フィルタ処理回路は自動露出装置において設定された絞りの値に応じて合焦エリアからの距離に対するフィルタ係数の変化率を相違させているので、銀塩フィルム用のカメラと同様に絞り値に追従したボケ効果を得ることができる。
【０００９】
【発明の実施の形態】
次に、本発明の実施形態を図面を参照して説明する。図１は本発明のデジタルカメラの一実施形態の断面構成図である。カメラボディ１には撮像レンズ２が着脱可能に設けられている。前記撮像レンズ２は鏡筒２１内に複数枚のレンズ２２と絞り２３が組み立てられており、図３に示されるＡＦ（自動焦点）駆動機構１５により被写体に対する合焦動作が行われ、後述するＣＣＤ撮像素子に対して被写体像をテレセントリティに結像する。また、前記絞り２３は開口径が変化可能に構成されており、撮像レンズ２を透過する被写体の光量を調節する。この実施形態では、前記絞り２３は図３に示される絞り駆動機構１６によって自動或いは手動で絞り開口径が調節可能にされている。
【００１０】
前記カメラボディ１内の前記撮像レンズ２の光軸上の位置には撮像レンズ２で結像される被写体像を光電変換して画像信号を得るためのＣＣＤ撮像素子３が配置されている。前記ＣＣＤ撮像素子３は図９に概略構成を示したように、半導体で構成されて多数の受光素子（フォトダイオード）３２がマトリクス状に配置されたＣＣＤ３２と、前記受光素子３２上にそれぞれ配置されたオンチップマイクロレンズ３４とを備えた構成とされており、前記撮像レンズ２で結像される被写体像はオンチップマイクロレンズ３４によってＣＣＤ３１の受光面に結像される。また、前記ＣＣＤ撮像素子３の前面には光学雑音を除去するための光学ローパスフィルタ３５が一体的に配設されている。また、前記カメラボディ１内の前記ＣＣＤ撮像素子３の前側位置にはハーフミラー４が配置されている。前記ハーフミラー４は同図のように撮像レンズ２の光軸上に位置されて撮像レンズ２の結像光の一部を上方に向けて反射し、他の一部を前記ＣＣＤ撮像素子３に入射させるものである。
【００１１】
また、前記カメラボディ１内の上部にはファインダ光学系５が配設されている。前記ファインダ光学系５は、前記撮像レンズ２で結像され前記クイックリターンミラー４で反射された被写体像が結像される焦点板５１と、前記被写体像におけるＡＦエリアを表示するために前記焦点板５１に重ねて配置されるＡＦフレーム枠ＬＣＤ（液晶表示装置）５２と、前記焦点板５１及びＡＦフレーム枠ＬＣＤ５２上に配置されたペンタプリズム５３と、前記ペンタプリズム５３の後面に配置された接眼レンズ群５４及び保護ガラス５５とを備えている。また、前記ペンタプリズム５３の後面の上側位置には被写体像を測光するための測光レンズ５６、測光フィルタ５７、及び測光素子５８が配置されている。
【００１２】
ここで、前記ＡＦフレーム枠ＬＣＤ５２は、図３に示すＬＣＤ駆動回路１８によって駆動されて表示を行う構成とされており、図２に示すように、被写体像中における複数のエリア、この例では３×３のマトリクス配置された９個のＡＦエリアＡ０〜Ａ８を表示するためのＬＣＤパターンが形成されている。そして、前記カメラボディ１の後面の一部に配設したＡＦ位置設定ボタン１２を操作することにより、いずれか１個のＬＣＤパターンを選択して視認可能な状態とし、当該視認可能なＬＣＤパターンのＡＦエリアを焦点板５１に結像されている被写体像に重ねて表示し、ファインダ光学系５を通して撮像者が確認することが可能にされている。
【００１３】
図３は前記デジタルカメラの内部回路構成を示すブロック図である。なお、図１に示した部分と同一箇所には同一符号を付してある。ＣＰＵ１０１には電池１０３の電圧をＤＣ／ＤＣコンバータ１０２により電圧調整された電圧が供給され、これを電源として動作する。また、前記ＣＰＵ１０１にはレリーズボタン１３、すなわち測光スイッチ１３ａとレリーズスイッチ１３ｂが押下されたときに各スイッチのＯＮ信号が入力される。さらに、前記ＣＰＵ１０１には後述するように被写体像のボケ効果を設定するためのモード設定スイッチ１４の設定信号が入力され、また、前記ＡＦ位置設定ボタン１２によるＡＦエリアＡ０〜Ａ８の設定信号が入力される。さらに、前記ＣＰＵ１０１はクロックジェネレータ１０４で発生するクロックに基づいて動作するＣＣＤドライバ１０５により前記ＣＣＤ撮像素子３を駆動する。
【００１４】
前記ＣＣＤ撮像素子３は撮像レンズ２により結像された被写体像を光電変換し、輝度信号からなる撮像信号を出力する。画像信号処理系１１０は前記撮像信号を増幅する増幅回路１１１と、増幅された撮像信号をＡ／Ｄ変換するＡ／Ｄ変換回路１１２と、変換された撮像信号を処理して画像を表示するための画像信号を生成する画像信号処理回路１１３と、画像信号を圧縮することが可能な圧縮回路１１４とを備えており、圧縮し又は圧縮しない画像信号を画像メモリ１１５に記録可能とされている。また、前記画像信号処理回路１１３には後述するように被写体像にボケ効果を与えるためのフィルタ処理回路１１６が接続されている。
【００１５】
前記フィルタ処理回路１１６は、例えば、デジタルフィルタで構成される。ここではデジタルフィルタとして、図４（ａ）に示すように、ＣＣＤ撮像素子３から出力された撮像信号に基づいて画像信号処理回路１１３において生成された撮像信号を順序的に遅延する２つの遅延回路１２１，１２２と、各遅延回路１２１，１２２の入力及び出力にそれぞれ重み付けのための係数を乗算する乗算器１２３，１２４，１２５と、各乗算器１２３，１２４，１２５の出力を加算する加算器１２６，１２７とを備えた移動平均回路を用いたローパスフィルタとして構成されている。そして、前記各乗算器１２３，１２４，１２５における係数を前記ＣＰＵ１０１等によって変化制御しながら画像信号処理回路１１３から経時的に出力されてくる画像信号の移動平均をとることにより、画像信号を構成している画素、すなわち前記ＣＣＤ撮像素子３の受光素子３２に対応する画像信号レベルを制御し、結果として画像信号の空間周波数を変化して画像信号の画像をシャープにしたりボケ状態にすることを可能にする。なお、図４では各乗算器１２３，１２４，１２５のフィルタ係数がそれぞれ１／３に設定され、画像信号として入力されるａ１，ａ２，ａ３を移動平均する例を示している。
【００１６】
また、図３に戻って、測光スイッチ１３ａがＯＮされると、ＣＰＵ１０１には、前記測光素子５８で測光した被写体の輝度と、前記ＣＣＤ撮像素子３で得られた輝度信号とを入力して露出情報を演算する露出制御回路１０６からの露出情報が入力され、さらにレリーズスイッチ１３ｂがＯＮされると、前記露出情報に基づいて前記絞り駆動機構１６を制御し、かつ同時に必要に応じてストロボ制御回路１９を制御してストロボ装置６での発光を制御し、ＣＣＤドライバ１０５によりＣＣＤ撮像素子３を駆動して被写体像の撮像、すなわちＣＣＤ３１における電荷蓄積を開始するように構成されている。また、前記ＡＦ位置設定ボタン１２によりＡＦエリアが選択されたときに、ＬＣＤ駆動回路１８を制御してＡＦフレーム枠ＬＣＤ５２上でのＡＦエリアＡ０〜Ａ８を選択的に表示するとともに、ＡＦ駆動機構１５によりＡＦ制御を実行する。なお、必要な撮像情報は外部表示器７において表示することが可能である。
【００１７】
次に、以上の構成の本実施形態のデジタルカメラの動作について説明する。撮像者がファインダ光学系５を覗くと、撮像レンズ２により焦点板５１に結像された被写体像を観察することができる。そして、ＡＦ位置設定ボタン１２を使用して被写体像に重ねて表示される複数のＡＦエリアＡ０〜Ａ８のうち、合焦したい箇所に対応するＡＦエリアを選択する。そして、レリーズボタン１３の押下による測光スイッチ１３ａのＯＮを待って、ＡＦ駆動機構１５は設定された前記ＡＦエリアについてＡＦ制御を実行する。これにより撮像レンズ２は選択されたＡＦエリアの被写体に対して合焦されることになる。これと同時にＣＰＵ１０１は、測光素子５８あるいはＣＣＤ撮像素子３からの輝度信号に基づいて露出制御回路１０６において得られる露出情報に基づいて露出を設定するとともに、絞り駆動機構１６の自動あるいは手動による動作により絞り２３の開口径を設定する。そして、レリーズスイッチ１３ｂのＯＮ信号により撮像レンズ２の結像光をＣＣＤ撮像素子３に結像し、ＣＣＤ撮像素子３での電荷蓄積を開始するとともに、蓄積された電荷、すなわち輝度信号を撮像信号として出力し、この撮像信号を画像信号処理系１１０において信号処理することで、画像信号処理回路１１３において画像信号が生成され、さらにこの画像信号は圧縮回路１１４において圧縮されあるいは圧縮されずに画像メモリ１１５に記録する。なお、この画像信号処理系１１０における詳細な動作については説明を省略する。
【００１８】
このように画像信号処理系１１０における信号処理が行われている間、ＣＰＵ１０１はモード設定スイッチ１４の状態を確認しており、当該モード設定スイッチ１４においてボケ効果が設定されている場合には画像信号処理回路１１３から出力される画像信号をフィルタ処理回路１１６に入力し、このフィルタ処理回路１１６においてフィルタ処理を実行する。このフィルタ処理回路１１６においては前述のように画像信号の移動平均をとっており、ＣＣＤ撮像素子３を構成しているＣＣＤ３１の個々の受光素子（以下、画素と称する）３２に対応して画像信号の出力レベルが制御される。例えば、ＣＣＤ撮像素子３から出力されて画像信号処理系１１０において生成される１水平走査方向の画像信号ＳＧ０が図５（ａ）の出力特性の場合に、図４に示したデジタルフィルタにおいて各乗算器１２３，１２４，１２５の係数、すなわちフィルタ係数を所定の値に設定したときには、図５（ｂ）の出力特性の画像信号ＳＧ１となる。このようにフィルタ係数を変化制御して移動平均をとることにより、画像信号処理回路１１３から得られる画像信号ＳＧ０がシャープな画像の場合でも、高輝度部分と低輝度部分のレベル差が緩和され、結果として鮮明度が低下したぼけた画像の画像信号ＳＧ１となる。また、前記フィルタ係数をさらに大きく変化制御すると、図５（ｃ）のように高輝度部分と低輝度部分のレベル差がさらに緩和された画像信号ＳＧ２となり、ボケ強度がさらに大きくされた画像となる。
【００１９】
そして、このフィルタ処理を行うに際しては、ＣＰＵ１０１はＡＦ位置設定ボタン１２で選択されたＡＦエリアと、露出情報に基づいて設定された絞り開口径を認識する。そして、選択されたＡＦエリアを中心とし、これに設定された絞り開口径の情報を加えてボケ効果を生じさせるための処理を実行させる。すなわち、図６に模式図を示すように、選択されたＡＦエリア、ここでは画面の中心のＡＦエリアＡ０が選択されており、このＡＦエリアＡ０に対応するＣＣＤ３１上の画素を基準画素とする。そして、この基準画素を中心にして絞り開口径に対応して予め設定した径寸法での同心円状の領域Ｃ０，Ｃ１，Ｃ２，Ｃ３，…を区画し、ＣＣＤ撮像素子３の各画素がいずれの同心円領域Ｃ０，Ｃ１，Ｃ２，Ｃ３，…に存在しているかを認識する。そして、ＣＰＵ１０１は画像信号処理回路１１３から出力される画像信号に対しては、各画素が存在する同心円領域に対応して設定したフィルタ係数に基づいて前記フィルタ処理回路１１６でのフィルタ処理を実行する。この実施形態では、基準画素から個々の画素までの距離に対して二次関数的に増大するフィルタ係数を用いてフィルタ処理を実行している。すなわち、設定されたＡＦエリアＡ０を中心にして同心円状にフィルタ係数が二次関数的に増大する特性でのフィルタ処理が行われることになる。
【００２０】
このようにしてＣＰＵ１０１は画像信号に対して、ＣＣＤ撮像素子３の各画素が区画される同心円領域を認識しながら順次フィルタ処理回路１１６での係数を制御することにより、基準画素、すなわち、設定されたＡＦエリアを中心にし、ここから外側方向に向けて同心円状に徐々にボケ効果が増大された画像信号を得ることができる。図７はその一例を示しており、図７（ａ）のような花の被写体を撮像する際に、画面の中央に位置させた花のしべにピントを合わせるべく、ファインダ光学系５では画面の中央のＡＦエリアＡ０を選択するとともに、図７（ｂ），（ｃ）に実線で示すように、画面、すなわち焦点板５１のファインダ枠の短辺方向及び長辺方向のそれぞれにおいて前記ＡＦエリアＡ０を中心にして外側方向に向けて順次フィルタ処理回路１１６のフィルタ係数を増加した設定状態でのフィルタ処理を実行している。したがって、この場合にはファインダ枠の短辺方向と長辺方向のそれぞれにおいて基準画素から各画素の距離に対するボケ程度は等しく、結果として基準画素を中心にした同心円状のボケ効果を生じさせている。
【００２１】
また、このボケ効果を生じさせるフィルタ処理回路１１６でのフィルタ係数の設定に際しては、ＣＰＵ１０１は前述のようにＡＦ制御による被写体距離のみならず絞り開口径に基づいてもフィルタ係数の変化制御を行っており、図７（ｂ），（ｃ）に破線で示すように、被写体距離が近く、絞り開口径が大きいほど基準画素からの距離変化に対応するフィルタ係数の変化率、この場合にはフィルタ係数の増加率を高めている。これにより、被写体距離が短くなり、また絞りを開放側に設定するのに伴って撮像した被写体の背景のボケが顕著なものになり、銀塩カメラの場合と同様に絞り開口径に追従した、及び被写体距離に追従したそれぞれ異なるボケ効果のあるデジタル写真を得ることが可能になる。
【００２２】
あるいは、図８（ａ）に示すように、焦点板５１のファインダ枠を縦位置にして人物を撮像する場合のように、選択されるＡＦエリアがファインダ枠内の周辺寄りの位置、ここではＡＦエリアＡ２が選択されたときには、画面全体のボケ効果を考慮して、図８（ｂ），（ｃ）に示すように、選択されたＡＦエリアＡ２を中心にしてファインダ枠の短辺方向よりも長辺方向のフィルタ係数の変化率、ここではフィルタ係数の増加率を緩やかなものにする。これにより、フィルタ処理された画像信号での長辺方向のボケ効果は短辺方向のボケ効果より弱くなり、図８（ａ）においては、選択されたＡＦエリアＡ２を基準とした縦長の楕円状のボケ効果が得られることになる。したがって、この例のように、被写体としての人物を撮影する場合に、当該人物の目に合焦したときに人物の身体部のボケ効果を抑制し、人物の周囲の背景についてボケ効果を生じさせることが可能になる。
【００２３】
なお、モード設定ボタン１４によりボケ効果を生じさせないようにすることも可能であり、この場合には画像信号処理回路１１３から出力される画像信号はフィルタ処理回路１１６を通ることなく直接に圧縮回路１１４に入力され、ここで圧縮され或いは圧縮されずに画像メモリ１１５に記憶される。このようなフィルタ処理を行なわない画像信号の場合には、被写体の略全面が合焦に近い状態で撮影されることになり、遠景を撮影するような場合に有利となる。また、この撮像で得られる画像信号については、これまでと同様にパーソナルコンピュータ等によるソフトレタッチ処理により任意のボケ効果を得ることが可能である。
【００２４】
ここで、前記実施形態では説明を省略したが、撮像レンズ２をズームレンズで構成した場合、あるいは焦点距離の異なる撮像レンズを交換可能な方式のデジタルカメラとして構成した場合には、当該撮像レンズの撮像時における焦点距離に応じてフィルタ処理回路１１６のフィルタ係数を変化制御するようにしてもよい。すなわち、長焦点レンズで撮像した画像に対するフィルタ係数を短焦点レンズで撮像した画像信号に対するフィルタ係数よりも大きくすることで、長焦点レンズによるボケ効果を顕著なものにすることが可能である。
【００２５】
また、前記実施形態では、ボケ効果を得るためのフィルタ処理回路として、遅延回路、乗算器、加算器を用いた移動平均回路として構成した非巡回型のデジタルフィルタを適用した例を説明したが、画像信号の空間周波数を実質的に変化制御することが可能なデジタルフィルタであれば、前記実施形態と同様に本発明におけるフィルタ処理回路として適用可能であることは言うまでもない。あるいは、図４（ｂ）に示すような、ＣＰＵ１０１に内蔵のソフトウェアによるデジタルフィルタとして構成することも可能である。この例では、ＣＣＤ撮像素子の各画素に対応する画像信号に対して個々にフィルタ係数を乗算した値を順次メモリｂ１，ｂ２，ｂ３に格納し、かつ格納した値を加算することで出力を得ている。
【００２６】
【発明の効果】
以上説明したように本発明は、撮像光学系により結像した被写体像を光電変換する撮像手段から得られる画像信号に対してボケ効果を与えるためのフィルタ処理回路を備えているので、撮像して得られる画像信号により表示する画像にボケ効果を与えることができ、撮像後の画像をコンピュータ等を利用してボケ処理することなくデジタルカメラのみでボケ効果のあるデジタル写真を撮像することが可能になる。特に、被写体距離、撮像光学系の絞り開口、撮像レンズの焦点距離等に応じてフィルタ係数を変化させることで、銀塩フィルム用カメラと同様な被写体距離、絞り開口、レンズ焦点距離に対応したボケ効果のある写真を得ることができる。
【図面の簡単な説明】
【図１】本発明のデジタルカメラの内部構成を示す概略側面図である。
【図２】ファインダ光学系のＡＦエリアのパターン例を示す図である。
【図３】本発明のデジタルカメラの回路構成を示すブロック回路図である。
【図４】フィルタ処理回路を構成するデジタルフィルタの一例の回路図である。
【図５】撮像により得られた元の画像信号とフィルタ処理してボケ効果を生じさせた画像信号を比較して示す信号波形図である。
【図６】撮像する画面における基準となるＡＦエリアと、フィルタ係数の変化を説明するための図である。
【図７】画面中央部に合焦したときの撮像画像とそのボケ効果を生じさせるフィルタ係数の値の相関を示す図である。
【図８】画面周辺部に合焦したときの撮像画像とそのボケ効果を生じさせるフィルタ係数の値の相関を示す図である。
【図９】ＣＣＤ撮像素子の概略構成を示す断面図である。
【符号の説明】
１  カメラボディ
２  撮像レンズ
３  ＣＣＤ撮像素子
４  ハーフミラー
５  ファインダ光学系
６  ストロボ装置
７  外部表示器
１２  ＡＦ位置設定ボタン
１３  レリーズボタン
１４  モード設定ボタン
２２  レンズ
２３  絞り
３１  ＣＣＤ
３２  受光素子
３４  チップオンマイクロレンズ
５１  焦点板
５２  ＡＦフレーム枠ＬＣＤ
５３  ペンタプリズム
５４  接眼レンズ群
５８  測光素子
１０１  ＣＰＵ
１１０  画像信号処理系
１１３  画像信号処理回路
１１５  画像メモリ
１１６  フィルタ処理回路
Ａ０〜Ａ８  ＡＦエリア
【図１】
0004565784.tif 000002
【図２】
0004565784.tif 000003
【図３】
0004565784.tif 000004
【図４】
0004565784.tif 000005
【図５】
0004565784.tif 000006
【図６】
0004565784.tif 000007
【図７】
0004565784.tif 000008
【図８】
0004565784.tif 000009
【図９】
0004565784.tif 000010